(57)【要約】【課題】送風音を低減し、デザインイメージを統一して構成することができる壁掛け型空気調和装置を提供する。【解決手段】壁掛け型室内ユニット２の熱交換部４４と送風部６３とを分割可能とし、前記熱交換部４４と前記送風部６３との外径を略等しくて、これら熱交換部４４と送風部６３とを接続して壁掛け型室内ユニット２を構成する。これにより、熱交換部４４に対し、送風能力の大きい送風部６３ａを備えることができるため、室内送風ファン３４ａの回転数を増加させなくても送風能力を向上させることができ、送風音を低減させることができる。また、送風部６３と送風部６３ａとを同じ奥行きおよび高さ寸法としているため、壁掛け型室内ユニット２と壁掛け型室内ユニット２ａとのデザインイメージを統一した壁掛け型空気調和装置とすることができる。【選択図】      図５
2004286233.tif 000002
【特許請求の範囲】
【請求項１】
熱交換器を有する熱交換部と、この熱交換部で熱交換された室内空気を室内空間に吹き出す室内送風ファンを有する送風部とを横並びに設け、前記熱交換部に前記室内空気を吸込む吸込み口設けるとともに、前記送風部に吹出し口を設け、前記熱交換部と、前記送風部とを分離可能としたことを特徴とする壁掛け型空気調和装置。
【請求項２】
前記熱交換部の外径と、前記送風部の外径とを略等しくし、長さの異なる熱交換部および送風部を任意に組み合わせ可能としたことを特徴とする請求項１に記載の壁掛け型空気調和装置。
【請求項３】
前記熱交換部と、前記送風部とを連通する通風口を備えたことを特徴とする請求項１または２に記載の壁掛け型空気調和装置。
【請求項４】
前記送風部を、駆動機構を介して前記熱交換部へ取り付けて上下方向に回動させたことを特徴とする請求項１乃至３のいずれかに記載の壁掛け型空気調和装置。
【請求項５】
前記送風部を、前記熱交換部の双方の側部位置へ設けたことを特徴とする請求項１乃至４のいずれかに記載の壁掛け型空気調和装置。
【請求項６】
前記送風部に備えられた吹出し口に左右方向への送風を行う風向板を備えたことを特徴とする請求項１乃至５のいずれかに記載の壁掛け型空気調和装置。
【請求項７】
前記熱交換部内に備える前記熱交換器を、複数の小熱交換器に分割し、これら小熱交換器を略倒立したＵの字形に配設して構成したことを特徴とする請求項１乃至６のいずれかに記載の壁掛け型空気調和装置。
【発明の詳細な説明】
【０００１】
【発明の属する技術分野】
本発明は、室内熱交換器の熱交換能力と、室内送風機の送風能力との組み合わせにより複数の室内ユニット能力の機種を構成する壁掛け型空気調和装置に関する。
【０００２】
【従来の技術】
これまでの壁掛け型空気調和装置では、室外ユニットは、屋外に設置され、室内ユニットは、室内の壁面の上方に据え付けられることが一般的である。この室内ユニットは、前記壁面に据え付けられる室内ユニットのフレームを備えており、このフレーム上の中央やや上方の位置に室内熱交換器が取り付けられ、その下方に水平方向に延びたクロスフローファンを備えた室内送風機が取り付けられている。そして、前面および天面に吸込み口を備え、前面下方に吹出し口を備えた前面グリルを、前記室内熱交換器、および、前記室内送風機を前面から覆うように前記フレームの前面に取り付けて室内ユニット本体が構成されている。
【０００３】
そして、この室内ユニットの能力構成は、同じ前記室内ユニット本体内へ、熱交換能力の異なる前記室内熱交換器と、送風能力の異なる前記室内送風機とを備えさせることにより構成されており、例えば、能力の小さい室内ユニットを構成する場合には、熱交換能力の小さい室内熱交換器と、送風能力の小さい室内送風機とが備えられ、能力の大きい室内ユニットを構成する場合には、熱交換能力の大きい室内熱交換器と、送風能力の大きい室内送風機とが備えられて、所定の能力を確保する様に機種が構成されていた（例えば、特許文献１参照）。
【０００４】
【特許文献１】
特開平１１−２４１８３６号（第３−４頁、第１図）
【０００５】
【発明が解決しようとする課題】
しかしながら、上記能力の大きい室内ユニットを構成する場合には、熱交換能力の大きい室内熱交換器を備える必要があったが、この壁掛け型空気調和装置の室内ユニットは、上記の様に壁面に据え付けらるものであり、前記室内ユニットが取り付けられる壁面の場所は、昨今の住宅事情などにより、窓上などの高さ制限がある場所となるケースが多くなってきている。そのため、高さ寸法を制限された前記室内ユニット本体内へ前記熱交換能力の大きい室内熱交換器と、前記送風能力の大きい室内送風機とを収納しなければならなかった。
【０００６】
ところが、上述の様に、室内ユニット内の上方へ前記熱交換能力の大きい室内熱交換器が取り付けられていることから、前記室内送風機の室内送風ファンを大型化することができないため、前記室内送風機の回転数を増加させて、前記送風能力を向上させなければならなかった。また、前記室内ユニットが据え付けられる壁面の場所に制限が無いとした場合、前記送風ファンの大型化を行うことは可能であったが、前記室内送風ファンの大型化により、室内ユニットのデザインが、上記能力の小さい室内ユニットと異なるものとなってしまうため、デザインイメージの統一が図れなかった。
【０００７】
このため、上記能力の大きい室内ユニットはデザインイメージを統一する場合、送風時の騒音が大きくなると言う問題を抱えており、この問題解決が要求されていた。
【０００８】
そこで本発明の目的は、上記問題に鑑みてなされたもので、送風音を低減し、デザインイメージを統一して構成することができる壁掛け型空気調和装置を提供することにある。
【０００９】
【課題を解決するための手段】
請求項１に記載の発明は、熱交換器を有する熱交換部と、この熱交換部で熱交換された室内空気を室内空間に吹き出す室内送風ファンを有する送風部とを横並びに設け、前記熱交換部に前記室内空気を吸込む吸込み口設けるとともに、前記送風部に吹出し口を設け、前記熱交換部と、前記送風部とを分離可能としたことを特徴とするものである。
【００１０】
請求項２に記載の発明は、請求項１に記載の発明において、前記熱交換部の外径と、前記送風部の外径とを略等しくし、長さの異なる熱交換部および送風部を任意に組み合わせ可能としたことを特徴とするものである。
【００１１】
請求項３に記載の発明は、請求項１または２に記載の発明において、前記熱交換部と、前記送風部とを連通する通風口を備えたことを特徴とするものである。
【００１２】
請求項４に記載の発明は、請求項１乃至３のいずれかに記載の発明において、前記送風部を、駆動機構を介して前記熱交換部へ取り付けて上下方向に回動させたことを特徴とするものである。
【００１３】
請求項５に記載の発明は、請求項１乃至４のいずれかに記載の発明において、前記送風部を、前記熱交換部の双方の側部位置へ設けたことを特徴とするものである。
【００１４】
請求項６に記載の発明は、請求項１乃至５のいずれかに記載の発明において、前記送風部に備えられた吹出し口に左右方向への送風を行う風向板を備えたことを特徴とするものである。
【００１５】
請求項７に記載の発明は、請求項１乃至６のいずれかに記載の発明において、前記熱交換部内に備える前記熱交換器を、複数の小熱交換器に分割し、これら小熱交換器を略倒立したＵの字形に配設して構成したことを特徴とするものである。
【００１６】
【発明の実施の形態】
以下、本発明の一実施の形態について、図１〜図６を用いて説明を行う。
【００１７】
図１は、壁掛け型空気調和装置の冷媒回路図である。
【００１８】
図２は、壁掛け型室内ユニットの正面図である。
【００１９】
図３は、壁掛け型室内ユニットの側方断面図である。
【００２０】
図４は、壁掛け型室内ユニットの組立て分解図である。
【００２１】
図５は、壁掛け型室内ユニットの正面断面図である。
【００２２】
図６は、壁掛け型室内ユニットの正面断面図である。
【００２３】
まず、図１に示す様に、壁掛け型空気調和装置１００は、室外ユニット１と、壁掛け型室内ユニット２とを、液管３ａおよびガス管３ｂからなるユニット間配管３と、通信配線４とで接続して構成され、室外ユニット１には、圧縮機１０と、四方弁１１と、室外熱交換器１２と、室外電動弁１３と、アキュームレータ１４とが冷媒配管で接続されて内蔵されており、さらに、室外熱交換器１２への送風を行なう室外送風機１５と、室外ユニット１の運転制御、および、壁掛け型室内ユニット２に内蔵された室内制御部２２との通信を行う室外制御部１６とが内蔵されて構成されている。
【００２４】
また、壁掛け型室内ユニット２には、室内熱交換器２０が冷媒配管を接続して内蔵され、さらに、この室内熱交換器２０への送風を行う室内送風機２１と、壁掛け型室内ユニット２の運転制御、および、室外ユニット１に内蔵された室外制御部１６との通信を行う室内制御部２２とが内蔵されている。
【００２５】
図２に示す様に、吹出し口２５は前面を向いている。この壁掛け型室内ユニット２の中央部には、前面に吸込み口２３ａを備えた吸込みグリル２４ａが、天面に吸込み口２３ｂを備えた吸込みグリル２４ｂが、それぞれ備えられており、吸込みグリル２４ａ、２４ｂの内側には、室内熱交換器２０（図５、図６参照）が収納された熱交換部４４が設けられている。そして、前記熱交換部４４と、前記送風部６３とは、略同じ奥行きおよび高さ寸法の外径をしたものとなっている。
【００２６】
また、熱交換部４４の一方の側部位置には、この壁掛け型室内ユニット２の室内ユニット本体２６と一体成形された側板２７が設けられ、他方の側部位置には、表示部２９を備えた表示部取り付けアングル３０が備えられており、この表示部取り付けアングル３０は、室内ユニット本体２６へ取り付けられている。
【００２７】
さらに、この側板２７、および、表示部取り付けアングル３０のそれぞれの外側には、吹出し口２５を備えたファンケース２８が設けられており、それぞれの吹出し口２５には、図２に示す様に、吹出された空気を左右方向へと風向させる風向板３８が設けられた送風部６３が設けられている。このファンケース２８内には、後述する室内ユニット本体２６の側端部には、送風モータ取り付けアングル３９が取り付けられており、この取り付けアングル３９に取り付けられた室内送風ファン３４、および、室内送風モータ４０が収納されている。
【００２８】
吸込みグリル２４ｂは、図４に示す様に、後端縁に設けられた図示しない掛止部により室内ユニット本体２６へ掛止されており、その前隅部には、固定具３５が設けられ、一方は側板２７の側面へ、そして、他方は表示部取り付けアングル３０の側面へ固定されている。同様に、吸込みグリル２４ａは、上端部を吸込みグリル２４ｂの前端部に掛止され、下端部の隅部に設けられた固定具３６（図２参照）により側板２７および表示部取り付けアングル３０の側面へ固定されるものとなっている。
【００２９】
図３に示す様に、壁掛け型室内ユニット２の背面側には、室内ユニット本体２６が備えられており、前記室内制御部２２は、この室内ユニット本体２６の底面部背面側に収納されている。また、室内熱交換器２０は、室内熱交換部２０ａ〜２０ｄで構成され、壁掛け型室内ユニット２内の前側下方には、室内熱交換部２０ａが配設され、その上方には、室内熱交換部２０ｂが配設され、天部には、室内熱交換部２０ｃが配設され、後方には、室内熱交換部２０ｄが配設されている。室内熱交換器２０は、これら室内熱交換部２０ａ〜２０ｄにより略倒立したＵの字形に構成されて設けられている。
【００３０】
また、室内熱交換部２０ａの下方には、ドレンパン３１ａが備えられており、室内熱交換部２０ｄの下方には、ドレンパン３１ｂが、それぞれ設けられており、室内熱交換器２０より滴下したドレン水を滞留させ、後述するドレンホース３７より屋外へ排水するものとされている。
【００３１】
さらに、室内熱交換器２０の風上側の前面から背面にかけて、吸込み口２３ａ、２３ｂから吸込む室内空気をろ過するフィルタ３２が設けられており、その天面には、吸込み口２３ｂを備えた吸込みグリル２４ｂが設けられ、前面には、吸込み口２３ａを備えた吸込みグリル２４ａが、それぞれ設けられている。このフィルタ３２は、側板２７および表示部取り付けアングル３０の側面に設けられた図示しないガイドレールにより、前面から挿入され、前記室内熱交換器２０の風上側へ装着されるものとなっている。
【００３２】
倒立したＵの字形に構成された室内熱交換器２０の内側は空洞となっており、通風口３３が設けられている。このため、図３の通風口３３の奥には、室内送風ファン３４が確認できる。
【００３３】
そして、吸込み口２３ａ、２３ｂから吸込まれた室内空気は、フィルタ３２でろ過され、室内熱交換器２０で熱交換された後、この通風口３３を通って、ファンケース２８内へと侵入し、室内送風ファン３４により吹出し口２５から室内空間へと吹出される。
【００３４】
そして、図４に示す様に、室内ユニット本体２６の中央部には、室内熱交換器２０が取り付けられる熱交換部４４が設けられており、室内熱交換器２０の下方には、ドレンパン３１ａ、３１ｂが設けられている。
【００３５】
また、この室内熱交換部２０の風上側に備えられたフィルタ３２の前方および上方には、上述の様に吸込みグリル２４ａ、２４ｂが取り付けられているが、この吸込みグリル２４ｂの前端部には、複数個の掛止口４２が設けられ、吸込みグリル２４ａの上端部には、複数個の掛止部４３が設けられており、前記掛止口４２と掛止部４３とが掛合されて、吸込みグリル２４ａ、２４ｂは接続されている。
【００３６】
室内ユニット本体２６の前記熱交換部４４の一側端部には、中央に通風口３３を備えた輪状の表示部取り付けアングル３０が取り付けられ、この取り付けアングル３０の前面には、壁掛け型空気調和装置１００の運転状態などを表示する表示部２９が取り付けられる。
【００３７】
また、室内ユニット本体２６の前記熱交換部４４の両側端には、後方へ円弧状に広がった壁３９ａを備え、室内送風モータ４０を取り付ける送風モータ取り付けアングル３９が、この室内ユニット本体２６の両側端部へ取り付けられている。
【００３８】
室内送風モータ４０は、この送風モータ取り付けアングル３９の上記円弧状に広がった壁３９ａの中央で、かつ、熱交換部４４へ向いた一側面に取り付けられ、他方の外側を向いた面の中央部には、ステッピングモータなどにより構成される駆動機構４１か取り付けられており、この駆動機構４１を介して、室内送風ファン３４および室内送風モータ４０を収納する様に吹出し口２５を備えたファンケース２８が取り付けられる。このファンケース２８は、この駆動機構４１により、この壁掛け型室内ユニット２の前面側の上方から下方までの略１８０度にわたり回動できるものとなっている。
【００３９】
そして、上記の様に、送風モータ取り付けアングル３９は、室内ユニット本体２６に取り付けられているため、前記熱交換部４４と前記送風部６３とは分割可能に設けられており、前記送風部６３を構成する送風モータ取り付けアングル３９を、熱交換部４４を構成する室内ユニット本体２６の側端部に接続することにより、前記熱交換部４４と前記送風部６３とが接続されている。
【００４０】
図５（ａ）は、これまで説明した前記熱交換部４４と送風部６３とを組み合わせて構成した壁掛け型室内ユニット２の正面断面図である。また、図５（ｂ）は、図５（ａ）と同じ前記熱交換部４４へ、例えば、前記送風部６３より、幅の広い送風部６３ａを組み合わせて構成した壁掛け型室内ユニット２ａの正面断面図である。
【００４１】
送風部６３ａは、送風部６３に比べ、室内送風ファンの幅が広く送風量を増加させられることから、前記室内送風ファン３４ａの回転数を低下させても前記室内送風ファン３４と同等の送風能力を得られるため、壁掛け型室内ユニット２と同等の能力を保持させたまま、送風音を低減させた壁掛け型室内ユニット２ａを構成することができる。また、送風部６３ａの幅は送風部６３より広いが、奥行きおよび高さ方向の寸法は前記送風部６３と同じであるため、壁掛け型室内ユニット２と、壁掛け型室内ユニット２ａとのデザインイメージを統一することができる。
【００４２】
さらに、図６（ａ）は、図５（ａ）と同様、これまで説明した熱交換部４４と送風部６３とを組み合わせて構成した壁掛け型室内ユニット２の正面断面図である。また、図６（ｂ）は、図５（ａ）と同じ送風部６３を、例えば、前記熱交換部４４より幅が広い熱交換部４４ａへ組み合わせて構成した壁掛け型室内ユニット２ｂの正面断面図である。この熱交換部４４ａには、室内熱交換器２０よりも幅の広い室内熱交換部６４が収納されている。
【００４３】
熱交換部４４ａは、熱交換部４４に比べ、室内熱交換器２０（図４参照）の幅が広く、熱交換量も大きいことから、室内送風ファン３４の送風量を低下させることできるため、送風音を低減させた壁掛け型室内ユニット２ｂを構成することができる。また、熱交換部４４ａの幅は熱交換部４４より広いが、奥行きおよび高さ方向の寸法は、前記熱交換部４４と同じであるため、壁掛け型室内ユニット２と、壁掛け型室内ユニット２ｂとのデザインイメージを統一することができる。
【００４４】
このように、奥行きおよび高さ方向の寸法を略同じにした熱交換部と、送風部とを組み合わせることにより、デザインイメージを統一して複数種類の室内ユニットを構成することができる。
【００４５】
【発明の効果】
以上の説明より、室内ユニットの熱交換部と送風部とを分割可能とし、これら前記熱交換部と前記送風部との外径を略等しくしているので、前記熱交換部と前記送風部とを任意に組み合わせることができるため、送風音を低減させるとともに、デザインイメージを統一した壁掛け型空気調和装置とすることが可能となる。
【図面の簡単な説明】
【図１】壁掛け型空気調和装置の冷媒回路図である。
【図２】壁掛け型室内ユニットの正面図である。
【図３】壁掛け型室内ユニットの側方断面図である。
【図４】壁掛け型室内ユニットの組立て分解図である。
【図５】壁掛け型室内ユニットの正面断面図である。
【図６】壁掛け型室内ユニットの正面断面図である。
【符号の説明】
２  壁掛け型室内ユニット
２０  室内熱交換器
２１  室内送風機
２３  吸込み口
２４  吸込みグリル
２５  吹出し口
２６  室内ユニット本体
２７  側板
２８  ファンケース
２９  表示部
３０  表示部取り付けアングル
３４  室内送風ファン
３８  風向板
４０  室内送風モータ
４１  駆動機構
４４  熱交換部
５０  歯車
５１  掛止受け部
５２  固定受け部
５３ａ〜５３ｃ  支持体
５４ａ、５４ｂ  支持体
５５  歯車
５６  ダストボックス
５７  埃塵回収機構
５８  ブラシ
５９  開口部
６０  連動機構
６１  回収扉
６２  開口部
６３  送風部
【図１】
2004286233.tif 000003
【図２】
2004286233.tif 000004
【図３】
2004286233.tif 000005
【図４】
2004286233.tif 000006
【図５】
2004286233.tif 000007
【図６】
2004286233.tif 000008